(57)【要約】【課題】  ボックス通信における間違い送信に対処することができるようにした、ボックス通信可能な通信装置と、そのボックス通信方法及びボックス通信プログラムを提供する。【解決手段】  送信の際にサブアドレス５１０により受信側の通信装置１０に設定されたボックス５２０を指定してデータ送信を行なうと共に、受信の際にサブアドレス５１０で指定されたボックス５２０内に受信したデータを格納する、ボックス通信可能な通信装置１０において、制御手段６００が、上記サブアドレスに識別信号６１０または６２０を付加して、上記受信側の通信装置に対して送信すると共に、上記サブアドレスに付加された識別信号６１０，６２０に基づいて、当該サブアドレス５１０に対応するボックス５２０内に既に格納されているデータを移動または削除するように構成する。【選択図】    図１
2006211563.tif 000002
【特許請求の範囲】
【請求項１】
通信回線網に接続されファクシミリ送受信を行なう通信制御手段と、ボックスが設定される記憶手段と、サブアドレス等が入力される入力手段と、印刷出力を行なう出力手段と、これらの通信制御手段，記憶手段，入力手段及び出力手段を制御する制御手段と、を設けて、送信の際にサブアドレスにより受信側の通信装置に設定されたボックスを指定してデータ送信を行なうと共に、受信の際にサブアドレスで指定されたボックス内に受信したデータを格納する、ボックス通信可能な通信装置において、
上記制御手段が、上記サブアドレスに識別信号を付加して、上記受信側の通信装置に対して送信すると共に、上記サブアドレスに付加された識別信号に基づいて、当該サブアドレスに対応するボックス内に既に格納されているデータを処理する
ことを特徴とする通信装置。
【請求項２】
上記識別信号が、削除指令を表わしており、
上記制御手段が、この識別信号に基づいて、当該サブアドレスに対応するボックス内に格納されているデータを削除する
ことを特徴とする請求項１に記載の通信装置。
【請求項３】
上記識別信号が、移動指令及び移動先のサブアドレスを表わしており、
上記制御手段が、この識別信号に基づいて、当該サブアドレスに対応するボックス内に格納されているデータを、上記移動先のサブアドレスに対応するボックスに移動する
ことを特徴とする請求項１に記載の通信装置。
【請求項４】
送信側の通信装置にて、送信の際にサブアドレスにより受信側の通信装置に設定されたボックスを指定してデータ送信を行なうと共に、受信側の通信装置にて、受信の際にサブアドレスで指定されたボックス内に受信したデータを格納する、通信装置におけるボックス通信方法において、
送信側の通信装置にて、上記サブアドレスに識別信号を付加して、上記受信側の通信装置に対して送信するステップと、
受信側の通信装置にて、上記サブアドレスに付加された識別信号に基づいて、当該サブアドレスに対応するボックス内に既に格納されているデータを処理するステップと、
を有した
ことを特徴とする通信装置のボックス通信方法。
【請求項５】
送信側の通信装置にて、送信の際にサブアドレスにより受信側の通信装置に設定されたボックスを指定してデータ送信を行なうと共に、受信側の通信装置にて、受信の際にサブアドレスで指定されたボックス内に受信したデータを格納する処理をコンピュータに実行させるための通信装置のボックス通信プログラムであって、
送信側の通信装置にて、上記サブアドレスに識別信号を付加して、上記受信側の通信装置に対して送信する手順と、
受信側の通信装置にて、上記サブアドレスに付加された識別信号に基づいて、当該サブアドレスに対応するボックス内に既に格納されているデータを処理する手順と、をコンピュータに実行させる
ことを特徴とする通信装置のボックス通信プログラム。
【発明の詳細な説明】
【技術分野】
【０００１】
本発明は、例えばファクシミリ装置等のネットワークを介して送信されてくるデータをボックスで受信するボックス通信可能な通信装置と、そのボックス通信方法及びボックス通信プログラムに関する。
【背景技術】
【０００２】
従来、例えばＦコード等によりボックス通信することができるようにしたファクシミリ装置が知られている。
このようなファクシミリ装置においては、例えば受信側のファクシミリ装置に前もってＦコード親展ボックス等のボックスを設定し、このボックスに対して、Ｆコードとしてのサブアドレス及びパスワードを付与しておく。
【０００３】
そして、送信側のファクシミリ装置から原稿を送信する際に、上記サブアドレス及びパスワードを入力し、送信した後、原稿の送信を行なう。これにより、送信側のファクシミリ装置から、受信側のファクシミリ装置に設定されたボックスに対して、原稿に対応する画像信号を送信し、格納する。
これを受けて、受信側のファクシミリ装置にて、操作者は、サブアドレス及びパスワードを入力することにより、ボックスを指定して、受信した画像信号を印刷出力し、原稿を受信することができるようになっている。
【０００４】
これに対して、特許文献１には、ファクシミリ送信中に取消指令を入力すると、データ送信を中止して、受信側のファクシミリ装置に対して、取消メッセージ用画像データを送信すると共に、メモリ消去指令を送信するようにしたファクシミリ装置が開示されている。
【特許文献１】特開２００３−２７４０９３号
【発明の開示】
【発明が解決しようとする課題】
【０００５】
しかしながら、このようなボックス通信可能なファクシミリ装置においては、送信側で操作者がサブアドレスを間違って入力した場合、受信側で、この間違ったサブアドレスが付与されたボックスが存在しないときは、エラーとなるが、間違ったサブアドレスが付与されたボックスが存在するときには、このボックスに対して原稿送信が行なわれてしまう。
このため、送信側の操作者は、間違いに気がついた場合、受信側のファクシミリ装置が設置されている相手方に対して電話等により「送信間違い」の旨を連絡する必要があった。
【０００６】
さらに、このような送信間違いが発生した場合、途中で送信を中止したとしても、送信済みの原稿については、当該ボックス内に格納され、保存されてしまうことになる。
このため、送信間違いによる送信先のボックスが、本来の送信先のボックスを設定した担当者以外の者が設定したものである場合、親展送信すべき原稿が第三者の手に渡ってしまうことになり、好ましくない。
【０００７】
これに対して、上述した特許文献１においては、相手先の電話番号を間違って送信した場合に、ファクシミリ送信中に送信側の操作者が取消指令を入力すると、データ送信が中止されると共に、受信側のファクシミリ装置に対して、取消メッセージ用画像データが送信されることにより、相手先に別途連絡することなく、送信間違いの旨を知らせることができる。
また、メモリ消去指令を送信することによって、受信側のファクシミリ装置にてメモリ内に途中まで取り込んでいる画像データを消去することかできる。
【０００８】
しかしながら、このようなファクシミリ装置においては、受信側のファクシミリ装置で既に印刷出力された原稿については、取消することができなかった。
従って、送信側の操作者は、再度本来の相手先のファクシミリ装置に対して原稿を送信する必要があり、操作が煩雑になってしまっていた。
【０００９】
本発明は、上記の問題を解決すべくなされたものであり、ボックス通信における間違い送信に対処することができるようにした、ボックス通信可能な通信装置と、そのボックス通信方法及びボックス通信プログラムの提供を目的とする。
【課題を解決するための手段】
【００１０】
この目的を達成するため、本発明の請求項１記載の通信装置は、通信回線網に接続されファクシミリ送受信を行なう通信制御手段と、ボックスが設定される記憶手段と、サブアドレス等が入力される入力手段と、印刷出力を行なう出力手段と、これらの通信制御手段，記憶手段，入力手段及び出力手段を制御する制御手段と、を設けて、送信の際にサブアドレスにより受信側の通信装置に設定されたボックスを指定してデータ送信を行なうと共に、受信の際にサブアドレスで指定されたボックス内に受信したデータを格納する、ボックス通信可能な通信装置において、上記制御手段が、上記サブアドレスに識別信号を付加して、上記受信側の通信装置に対して送信すると共に、上記サブアドレスに付加された識別信号に基づいて、当該サブアドレスに対応するボックス内に既に格納されているデータを処理する構成としてある。
【００１１】
通信装置をこのような構成とすると、送信側の操作者が、送信相手先のボックスのサブアドレスを間違って操作したことに気がついた場合、送信側の通信装置からサブアドレスに識別信号を付加して、通信回線網を介して受信側の通信装置に対して送信することによって、受信側の通信装置が当該サブアドレスに対応するボックス内に既に格納されているデータを、上記識別信号に基づいて、削除，移動等の処理を自動的に行なうことになる。
これにより、従来では送信済みのデータについては送信側は削除も移動もできず、送信相手先に電話等により送信間違いの旨を連絡する必要があったが、本発明によれば、相手先に電話等で連絡する必要がなく、送信側の通信装置から自動的に受信側のボックス内に既に格納されているデータを適宜に処理することができるので、操作性が向上することになる。
【００１２】
また、請求項２記載の通信装置は、上記識別信号が、削除指令を表わしており、上記制御手段が、この識別信号に基づいて、当該サブアドレスに対応するボックス内に格納されているデータを削除する構成としてある。
【００１３】
通信装置をこのような構成とすると、送信側の操作者が、送信相手先のボックスのサブアドレスを間違って操作したことに気がついた場合、送信側の通信装置からサブアドレスに削除指令を表わす識別信号を付加して、受信側の通信装置に対して送信することによって、受信側の通信装置が当該サブアドレスに対応するボックス内に既に格納されているデータを、上記識別信号に基づいて、削除の処理を自動的に行なうことになる。
これにより、送信間違いの旨を相手先に電話等で連絡する必要がなく、送信側の通信装置から自動的に受信側のボックス内に既に格納されているデータを削除することができる。
従って、送信側の操作者は、再度正しいサブアドレスに対してデータを送信すればよい。
【００１４】
また、請求項３記載の通信装置は、上記識別信号が、移動指令及び移動先のサブアドレスを表わしており、上記制御手段が、この識別信号に基づいて、当該サブアドレスに対応するボックス内に格納されているデータを、上記移動先のサブアドレスに対応するボックスに移動する構成としてある。
【００１５】
通信装置をこのような構成とすると、送信側の操作者が、送信相手先のボックスのサブアドレスを間違って操作したことに気がついた場合、送信側の通信装置からサブアドレスに移動指令及び移動先のサブアドレスを表わす識別信号を付加して、受信側の通信装置に対して送信することによって、受信側の通信装置が当該サブアドレスに対応するボックス内に既に格納されているデータを、上記識別信号に基づいて、移動先のサブアドレスに対応するボックスに自動的に移動することになる。
従って、送信間違いの旨を相手先に電話等で連絡する必要がなく、送信側の通信装置から自動的に受信側のボックス内に既に格納されているデータを、本来の送信先である正しいボックスに移動することができる。
この場合、相手先の手を煩わすことなく、正しいボックスにデータを送信したのと同じことになる。
【００１６】
また、請求項４記載の通信装置のボックス通信方法は、送信側の通信装置にて、送信の際にサブアドレスにより受信側の通信装置に設定されたボックスを指定してデータ送信を行なうと共に、受信側の通信装置にて、受信の際にサブアドレスで指定されたボックス内に受信したデータを格納する、通信装置におけるボックス通信方法において、送信側の通信装置にて、上記サブアドレスに識別信号を付加して、上記受信側の通信装置に対して送信するステップと、受信側の通信装置にて、上記サブアドレスに付加された識別信号に基づいて、当該サブアドレスに対応するボックス内に既に格納されているデータを処理するステップと、を有した構成としてある。
このように、本発明は、方法としても実現化することができる。
【００１７】
また、請求項５記載の通信装置のボックス通信プログラムは、送信側の通信装置にて、送信の際にサブアドレスにより受信側の通信装置に設定されたボックスを指定してデータ送信を行なうと共に、受信側の通信装置にて、受信の際にサブアドレスで指定されたボックス内に受信したデータを格納する処理をコンピュータに実行させるための通信装置のボックス通信プログラムであって、送信側の通信装置にて、上記サブアドレスに識別信号を付加して、上記受信側の通信装置に対して送信する手順と、受信側の通信装置にて、上記サブアドレスに付加された識別信号に基づいて、当該サブアドレスに対応するボックス内に既に格納されているデータを処理する手順と、をコンピュータに実行させる構成としてある。
このように、本発明は、プログラムとしても実現化することができる。
【発明の効果】
【００１８】
このように、本発明によれば、データ送信の際に使用するサブアドレスを利用して、送信側にてサブアドレスに識別信号を付加することによって、受信側にて、この識別信号に基づいて、既に当該サブアドレスに対応するボックスに格納されているデータについて、削除，移動等の処理を行なうことができる。その際、受信側の手を煩わすことなく、送信側から自動的にデータの処理を行なうことができるので、従来のように相手先に電話等で送信間違いの旨の連絡をする必要がなく、操作性が向上することになる。
【発明を実施するための最良の形態】
【００１９】
以下、本発明を適用した通信装置としてのファクシミリ装置の一実施形態について、図１を参照して説明する。
図１は、本発明によるファクシミリ装置の一実施形態の構成を示している。
図１に示すように、ファクシミリ装置１０は、通信制御手段１００と、操作手段２００と、画像入力手段としての読取手段３００と、画像出力手段としての印字手段４００と、記憶手段５００と、制御手段６００と、から構成されている。
【００２０】
上記通信制御手段１００は、一般公衆回線等の通信回線網７００に接続されており、この通信回線網７００を介して発呼により相手先のファクシミリ装置１０の通信制御手段１００と相互に接続され、ファクシミリ送受信を行なうようになっている。
【００２１】
上記操作手段２００は、操作入力手段２１０と、表示手段２２０と、を備えている。
この操作入力手段２１０は、いわゆるテンキーを含む複数個の操作キー等の入力手段を備えており、データ送信の際に、相手先の電話番号やサブアドレス，パスワード等の任意の入力操作を行なうことができるようになっている。
また、表示手段２２０は、操作入力手段２１０による入力結果を表示したり、あるいは通信制御手段１００の動作状態等の必要な項目を表示するようになっている。
【００２２】
上記読取手段３００は、ファクシミリ送信あるいはコピーすべき原稿の画像スキャンを行なって、画像データ３１０を取り込むようになっている。
上記印字手段４００は、通信制御手段で受信したデータあるいは上記読取手段３００で読み取った画像データ３１０を、例えば用紙に印刷出力するようになっている。
【００２３】
上記記憶手段５００は、メモリから構成されており、例えば通信制御手段１００によるメモリ送信あるいはメモリ代行受信等の場合に、ファクシミリ送受信すべきデータを一時的に格納するようになっている。
さらに、上記記憶手段５００は、上記操作入力手段２１０からの操作によって、仮想的にサブアドレス５１０を付与されたボックス５２０、例えばＦコード親展ボックスが設定され、通信制御手段１００で受信したボックス通信のデータを、サブアドレス５１０で指定されたボックス５２０に格納するようになっている。
【００２４】
尚、上記ボックス５２０は、上記記憶手段５００内にていくつでも設定され得る。そして、各ボックス５２０は、互いに異なるサブアドレス５１０が付与されることより、互いに識別され得るようになっている。
また、上記サブアドレス５１０は、上記操作入力手段２１０のテンキーで入力可能な「０」〜「９」の数字，「＊」，「＃」及びスペースから成る１〜２０桁の任意の文字列から構成される。
【００２５】
上記制御手段６００は、コンピュータ上で動作するプログラムにより動作が制御され、上記通信制御手段１００，操作手段２００，読取手段３００，印字手段４００及び記憶手段５００を制御するようになっている。
そして、上記制御手段６００は、ボックス通信の送信の際には、上記読取手段３００で取り込まれたデータ３１０に対して、操作入力手段２１０から入力されたサブアドレス５１０を付加して、通信制御手段１００から通信回線網７００を介して、相手先のファクシミリ装置１０に対して送信する。
また、上記制御手段６００は、ボックス通信の受信の際には、通信制御手段１００で受信したサブアドレス及び画像データを、このサブアドレス５１０で指定されるボックス５２０内に格納する。
【００２６】
さらに、上記制御手段６００は、ボックス通信の削除の際には、上記サブアドレス５１０に対して、削除指令を表わす識別信号、例えば符号「＃」から成る削除識別信号６１０を付加して、通信制御手段１００から通信回線網７００を介して、受信側のファクシミリ装置１０に対して送信する。
そして、受信側のファクシミリ装置１０では、上記制御手段６００は、受信したサブアドレス５１０および削除識別信号６１０に基づいて、このサブアドレス５１０で指定されたボックス５２０内に既に格納されているデータを削除するようになっている。
【００２７】
また、上記制御手段６００は、ボックス通信の移動の際には、上記サブアドレス５１０に対して、移動指令を表わす識別信号、例えば符号「＊」から成る移動識別信号６２０と、移動先のサブアドレス６３０を付加して、通信制御手段１００から通信回線網７００を介して、受信側のファクシミリ装置１０に対して送信する。
そして、受信側のファクシミリ装置１０では、上記制御手段６００は、受信したサブアドレス５１０，移動識別信号６２０および移動先のサブアドレス６３０に基づいて、このサブアドレス５１０で指定されたボックス５２０内に既に格納されているデータを、移動先のサブアドレス６３０に対応するボックス５２０内に移動するようになっている。
【００２８】
次に、本実施形態のファクシミリ装置１０のボックス通信の処理動作について、図３〜図４を参照して説明する。
図３は、ボックス通信のデータ移動処理の場合の動作を示している。
まず、受信側のファクシミリ装置１０において、その記憶手段５００に、図５（Ａ）に示すように、二つのボックス５１０が設定されており、それぞれ「１２３４」および「５６７８」なるサブアドレス５２０が付与されているものとする。
そして、図５（Ｂ）に示すように、本来二番目のボックス５１０（サブアドレス５６７８）に送信すべき画像データ３１０（画像枚数３枚）が一番目のボックス５１０（サブアドレス１２３４）に送信され、当該ボックス５１０に格納された状態で、送信側の操作者が送信先のボックスが異なることに気がついた場合を説明する。
【００２９】
この状態から、図３にて、送信側のファクシミリ装置１０は、符号Ａ１で示すように、通信制御手段１００から通信回線網７００を介して受信側のファクシミリ装置１０に対してダイヤリングにより発呼する。
これを受けて、受信側のファクシミリ装置１０は、符号Ａ２で示すように、ＮＳＦ（非標準機能識別信号），ＣＳＩ（被呼端末識別信号），ＤＩＳ（ディジタル識別信号）の各信号を通信回線網７００を介して送信側のファクシミリ装置１０に送信する。
【００３０】
これに対して、送信側のファクシミリ装置１０は、符号Ａ３で示すように、「１２３４」なるサブアドレス５２０のボックスに格納されているデータを「５６７８」なるサブアドレス５２０のボックスに移動させるために、移動識別信号を付加したサブアドレスＳＵＢ（１２３４＊５６７８）と、ＴＳＩ（送信端末識別信号），ＮＳＳ（非標準機能設定信号）の各信号を通信回線網７００を介して受信側のファクシミリ装置１０に送信する。
【００３１】
これにより、送信側のファクシミリ装置１０は、符号Ａ４で示すように、ＴＣＦ信号（トレーニングチェック）を受信側のファクシミリ装置１０に送信し、受信側のファクシミリ装置１０は、これに応答して、符号Ａ５で示すように、ＣＦＲ信号（受信準備確認信号）を送信側のファクシミリ装置１０に送信する。
続いて、送信側のファクシミリ装置１０は、符号Ａ６で示すように、ＰＩＸ信号を受信側のファクシミリ装置１０に送信する。
【００３２】
その後、送信側のファクシミリ装置１０は、符号Ａ７で示すように、ＥＯＰ信号（手順終了信号）を受信側のファクシミリ装置１０に送信し、受信側のファクシミリ装置１０は、これに応答して、符号Ａ８で示すように、ＭＣＦ信号（メッセージ確認信号）を送信側のファクシミリ装置１０に送信する。
【００３３】
これを受けて、送信側のファクシミリ装置１０は、符号Ａ９で示すように、ＤＣＮ信号（切断命令信号）を受信側のファクシミリ装置１０に送信した後、符号Ａ１０で示すように、回線を切断する。
他方、受信側のファクシミリ装置１０は、同様に符号Ａ１１で示すように、回線切断すると共に、符号Ａ１２で示すように、上記サブアドレス「１２３４」に対応するボックス５２０に格納されている画像データを、サブアドレス「５６７８」に対応するボックス５２０に移動する。
これにより、図５（Ｃ）に示すように、間違ってサブアドレス「１２３４」のボックス５２０に送信された画像データが、本来の送付先であるサブアドレス「５６７８」のボックス５２０に移動されることになる。
以上で、ボックス通信のデータ移動処理が終了する。
【００３４】
図４は、ボックス通信のデータ削除処理の場合の動作を示している。
まず、受信側のファクシミリ装置１０において、その記憶手段５００に、図６（Ａ）に示すように、二つのボックス５１０が設定されており、それぞれ「１２３４」および「５６７８」なるサブアドレス５２０が付与されているものとする。
そして、図６（Ｂ）に示すように、本来二番目のボックス５１０（サブアドレス５６７８）に送信すべき画像データ３１０（画像枚数３枚）が一番目のボックス５１０（サブアドレス１２３４）に送信され、当該ボックス５１０に格納された状態で、送信側の操作者が送信先のボックスが異なることに気がついた場合を説明する。
【００３５】
この状態から、図４にて、送信側のファクシミリ装置１０は、符号Ｂ１で示すように、通信制御手段１００から通信回線網７００を介して受信側のファクシミリ装置１０に対してダイヤリングにより発呼する。
これを受けて、受信側のファクシミリ装置１０は、符号Ｂ２で示すように、ＮＳＦ（非標準機能識別信号），ＣＳＩ（被呼端末識別信号），ＤＩＳ（ディジタル識別信号）の各信号を通信回線網７００を介して送信側のファクシミリ装置１０に送信する。
【００３６】
これに対して、送信側のファクシミリ装置１０は、符号Ｂ３で示すように、「１２３４」なるサブアドレス５２０のボックスに格納されているデータを削除するために、削除識別信号を付加したサブアドレスＳＵＢ（１２３４＃）と、ＴＳＩ（送信端末識別信号），ＮＳＳ（非標準機能設定信号）の各信号を通信回線網７００を介して受信側のファクシミリ装置１０に送信する。
【００３７】
これにより、送信側のファクシミリ装置１０は、符号Ｂ４で示すように、ＴＣＦ信号（トレーニングチェック）を受信側のファクシミリ装置１０に送信し、受信側のファクシミリ装置１０は、これに応答して、符号Ｂ５で示すように、ＣＦＲ信号（受信準備確認信号）を送信側のファクシミリ装置１０に送信する。
続いて、送信側のファクシミリ装置１０は、符号Ｂ６で示すように、ＰＩＸ信号を受信側のファクシミリ装置１０に送信する。
【００３８】
その後、送信側のファクシミリ装置１０は、符号Ｂ７で示すように、ＥＯＰ信号（手順終了信号）を受信側のファクシミリ装置１０に送信し、受信側のファクシミリ装置１０は、これに応答して、符号Ｂ８で示すように、ＭＣＦ信号（メッセージ確認信号）を送信側のファクシミリ装置１０に送信する。
【００３９】
これを受けて、送信側のファクシミリ装置１０は、符号Ｂ９で示すように、ＤＣＮ信号（切断命令信号）を受信側のファクシミリ装置１０に送信した後、符号Ｂ１０で示すように、回線を切断する。
他方、受信側のファクシミリ装置１０は、同様に符号Ｂ１１で示すように、回線切断すると共に、符号Ｂ１２で示すように、上記サブアドレス「１２３４」に対応するボックス５２０に格納されている画像データを削除する。
これにより、図６（Ｃ）に示すように、間違ってサブアドレス「１２３４」のボックス５２０に送信された画像データが削除されることになる。
以上で、ボックス通信のデータ削除処理が終了する。
尚、送信側の操作者は、再び送信側のファクシミリ装置１０を操作して、原稿を本来の送付先である「５６７８」なるサブアドレス５１０のボックス５２０に送信すればよい。
【００４０】
なお、以上の実施形態における通信装置（ファクシミリ装置）は、プログラムに制御されたコンピュータにより実行することができる。プログラムは、例えば、記録媒体により提供される。記録媒体としては、たとえば、磁気ディスク，光ディスク，半導体メモリ，その他コンピュータで読み取り可能な任意の手段を使用することができる。
また、記録媒体に記録されたプログラムは、記録媒体を直接コンピュータに装着して当該コンピュータに読み込ませることができ、また、通信回線を介してコンピュータに読み込ませるようにしても良い。
【００４１】
以上、本発明の通信装置，そのボックス通信方法およびボックス通信プログラムの好ましい実施形態について説明したが、本発明に係る通信装置，そのボックス通信方法およびボックス通信プログラムは上述した実施形態にのみ限定されるものではなく、本発明の範囲で種々の変更実施が可能であることは言うまでもない。
【００４２】
例えば、上述した実施形態においては、通信装置としてファクシミリ装置の場合について説明したが、これに限らず、ファクシミリ機能を備えたマルチファンクション機、あるいはファクシミリ機能を備えたパーソナルコンピュータ等の情報機器についても、本発明を適用し得ることは明らかである。
【００４３】
このようにして、本発明によれば、ボックス通信における間違い送信に対処することができるようにした、ボックス通信可能な通信装置と、そのボックス通信方法及びボックス通信プログラムが提供され得ることになる。
【産業上の利用可能性】
【００４４】
本発明は、ボックス通信の管理に関する発明であるため、ボックス通信を実行する機能を備えた機器や装置に利用可能である。
【図面の簡単な説明】
【００４５】
【図１】本発明によるファクシミリ装置の一実施形態の構成を示すブロック図である。
【図２】図１のファクシミリ装置における記憶手段内のボックスの構成を示す概略図である。
【図３】図１のファクシミリ装置におけるボックス通信のデータ移動処理を示すフローチャートである。
【図４】図１のファクシミリ装置におけるボックス通信のデータ削除処理を示すフローチャートである。
【図５】図３のデータ移動処理における（Ａ）送信前，（Ｂ）送信後及び（Ｃ）移動後のボックス内の状態を示す概略図である。
【図６】図３のデータ削除処理における（Ａ）送信前，（Ｂ）送信後及び（Ｃ）削除後のボックス内の状態を示す概略図である。
【符号の説明】
【００４６】
１０    ファクシミリ装置（通信装置）
１００    通信制御手段
２００    操作手段
２１０    操作入力手段（入力手段）
２２０    表示手段
３００    読取手段
３１０    画像データ
４００    印字手段（出力手段）
５００    記憶手段
５１０    サブアドレス
５２０    ボックス
６００    制御手段
７００    通信回線網
【図１】
2006211563.tif 000003
【図２】
2006211563.tif 000004
【図３】
2006211563.tif 000005
【図４】
2006211563.tif 000006
【図５】
2006211563.tif 000007
【図６】
2006211563.tif 000008